(57)【要約】【課題】本発明は無線周波数通信システム及び無線周波数通信システムに応用されるノイズアイソレーション方法を提供する。【解決手段】無線周波数通信システムはアンテナと、増幅器と、ノイズアイソレーションユニットを含む。増幅器は、アンテナに電気的に接続されてアンテナが伝送するコモンモード信号を増幅し、増幅したコモンモード信号を出力する。ノイズアイソレーションユニットは、増幅器に電気的に接続され、増幅したコモンモード信号を遮断することに用いられる。ノイズアイソレーションユニットは第１の変圧器と第２の変圧器を含む。第１の変圧器は第１の一次コイルと第１の二次コイルを有し、第１の一次コイルが増幅器に電気的に接続される。第２の変圧器は第２の一次コイルと第２の二次コイルを有し、第２の一次コイルが第１の二次コイルに電気的に接続されて、増幅したコモンモード信号の伝送を遮断する。【選択図】図２
2015062268.tif 000002
【特許請求の範囲】
【請求項１】
アンテナと、
該アンテナに電気的に接続され、該アンテナが伝送するコモンモード信号を増幅し、増幅したコモンモード信号を出力する増幅器と、
該増幅器に電気的に接続され、該増幅したコモンモード信号を遮断するためのノイズアイソレーションユニットと、を含み、
該ノイズアイソレーションユニットは、
第１の一次コイルと第１の二次コイルを有し、該第１の一次コイルが該増幅器に電気的に接続される第１の変圧器と、
第２の一次コイル及び第２の二次コイルを有し、該第２の一次コイルが該第１の二次コイル電気的に接続される第２の変圧器とを含んで、該増幅したコモンモード信号の伝送を遮断する無線周波数通信システム。
【請求項２】
該ノイズアイソレーションユニットは、複数のコンデンサーをさらに含む請求項１に記載の無線周波数通信システム。
【請求項３】
前記複数のコンデンサーは、第１のコンデンサーと、第２のコンデンサーと、第３のコンデンサーと、第４のコンデンサーを含み、
該第１の一次コイルの一端は該第１のコンデンサーを介して該増幅器に電気的に接続され、該第１の一次コイルの他端は接地端に接続され、該第１の二次コイルの一端は該第２のコンデンサーに電気的に接続され、該第１の二次コイルの他端は該第３のコンデンサーに電気的に接続され、
該第２の一次コイルの一端は該第２のコンデンサーに電気的に接続され、該第２の一次コイルの他端は該第３のコンデンサーに電気的に接続され、該第２の二次コイルの一端は該第４のコンデンサーに電気的に接続され、該第２の二次コイルの他端は該接地端に接続される請求項２に記載の無線周波数通信システム。
【請求項４】
該第１の変圧器は前記複数のコンデンサーの少なくとも１つとともに操作されて、一部の該増幅したコモンモード信号の伝送を遮断し、該第２の変圧器は前記複数のコンデンサーの少なくとも１つとともに操作され、他の一部の該増幅したコモンモード信号の伝送を遮断する請求項２に記載の無線周波数通信システム。
【請求項５】
該増幅器は、トランジスタであり、該トランジスタの制御端は該アンテナに電気的に接続され、該トランジスタの第１の端は該ノイズアイソレーションユニットに電気的に接続され、該トランジスタの第２の端は接地端に接続される請求項１に記載の無線周波数通信システム。
【請求項６】
無線周波数通信システムに応用されるノイズアイソレーション方法であって、該無線周波数通信システムはアンテナと、増幅器と、ノイズアイソレーションユニットを含み、且つ該ノイズアイソレーションユニットは第１の変圧器と第２の変圧器をさらに含み、該第１の変圧器は第１の一次コイルと第１の二次コイルを有し、該第１の一次コイルは該増幅器に電気的に接続され、該第２の変圧器は第２の一次コイルと第２の二次コイルを有し、且つ該第２の一次コイルは該第１の二次コイルに電気的に接続され、
該ノイズアイソレーション方法は、
該アンテナによってコモンモード信号を伝送し、
該増幅器によって該コモンモード信号を増幅し、増幅したコモンモード信号を出力し、
該ノイズアイソレーションユニットによって該増幅したコモンモード信号の伝送を遮断することを含む前記無線周波数通信システムに応用されるノイズアイソレーション方法。
【請求項７】
該ノイズアイソレーションユニットは、複数のコンデンサーをさらに含む請求項６に記載のノイズアイソレーション方法。
【請求項８】
前記複数のコンデンサーは第１のコンデンサーと、第２のコンデンサーと、第３のコンデンサーと、第４のコンデンサーを含み、
該第１の一次コイルの一端は該第１のコンデンサーを介して該増幅器に電気的に接続され、該第１の一次コイルの他端は接地端に接続され、該第１の二次コイルの一端は該第２のコンデンサーに電気的に接続され、該第１の二次コイルの他端は該第３のコンデンサーに電気的に接続され、
該第２の一次コイルの一端は該第２のコンデンサーに電気的に接続され、該第２の一次コイルの他端は該第３のコンデンサーに電気的に接続され、該第２の二次コイルの一端は該第４のコンデンサーに電気的に接続され、該第２の二次コイルの他端は該接地端に接続される請求項７に記載のノイズアイソレーション方法。
【請求項９】
該ノイズアイソレーションユニットによって該増幅したコモンモード信号の伝送を遮断する工程は、
該第１の変圧器が前記複数のコンデンサーの少なくとも１つとともに操作されることによって一部の該増幅したコモンモード信号の伝送を遮断し、
該第２変圧器が前記複数のコンデンサーの少なくとも１つとともに操作されることによって他の一部の該増幅したコモンモード信号の伝送を遮断することとをさらに含む請求項７に記載のノイズアイソレーション方法。
【請求項１０】
該増幅器はトランジスタであり、該トランジスタの制御端は該アンテナに電気的に接続され、該トランジスタの第１の端は該ノイズアイソレーションユニットに電気的に接続され、該トランジスタの第２の端は接地端に接続される請求項６に記載のノイズアイソレーション方法。
【発明の詳細な説明】
【技術分野】
【０００１】
本発明は無線周波数通信システムに関し、特にノイズアイソレーション回路を備える無線周波数通信システムに関する。
【背景技術】
【０００２】
近年、使用者の電子製品に対する要求が徐々に増加してきたことに伴い、電子製品における信号を伝送するための通信設備の設計はさらに重要になっている。無線周波数（Ｒａｄｉｏ Ｆｒｅｑｕｅｎｃｙ；ＲＦ）回路を例にとると、無線周波数通信システムではアンテナ（例えばシングルアンテナまたは差動アンテナ）を用いてデータを伝送することが多い。しかしながら、アンテナが信号を受信し伝送する際に、電磁ノイズの干渉を受けやすくなって、アンテナが電子装置に出力する信号に大量のノイズが混入し、ノイズに起因する低信号対雑音比（Ｓｉｇｎａｌ Ｔｏ ｎｏｉｓｅ Ｒａｔｉｏ）により原信号の歪みを招く。原信号の歪みは、通信設備にエラーを起こし、その結果、電子装置は正しく情報を伝送できなくなる。
【発明の概要】
【発明が解決しようとする課題】
【０００３】
本発明は無線周波数通信システム及びそのノイズアイソレーション方法を提供する。この無線周波数通信システムは変圧器及びコンデンサーによってノイズアイソレーションユニットを構成し、アンテナに受信された信号のノイズを効果的に遮断し、且つ信号対雑音比を向上させる。
【課題を解決するための手段】
【０００４】
本発明は、無線周波数通信システムに関する。この無線周波数通信システムは、アンテナと、増幅器と、ノイズアイソレーションユニットを備える。増幅器は、アンテナに電気的に接続され、アンテナが伝送するコモンモード信号を増幅して、増幅したコモンモード信号を出力する。ノイズアイソレーションユニットは、増幅器に電気的に接続され、第１の変圧器と第２の変圧器を含み、増幅したコモンモード信号を遮断する。第１の変圧器は、第１の一次コイルと第１の二次コイルを有し、第１の一次コイルが増幅器に電気的に接続される。第２の変圧器は、第２の一次コイルと第２の二次コイルを有し、第２の一次コイルが第１の二次コイルに電気的に接続されて、増幅したコモンモード信号の伝送を遮断する。
【０００５】
本発明はまた、無線周波数通信システムに応用されるノイズアイソレーション方法を提備し、無線周波数通信システムは、アンテナと、増幅器と、ノイズアイソレーションユニットを備え、且つノイズアイソレーションユニットは、第１の変圧器と第２の変圧器をさらに含み、第１の変圧器は第１の一次コイルと第１の二次コイルを有し、第１の一次コイルが増幅器に電気的に接続され、第２変圧器は第２の一次コイルと第２の二次コイルを有し、且つ第２の一次コイルが第１の二次コイルに電気的に接続される。このノイズアイソレーション方法は、アンテナによってコモンモード信号を伝送し、増幅器によってコモンモード信号を増幅して増幅したコモンモード信号を出力し、ノイズアイソレーションユニットによって増幅したコモンモード信号の伝送を遮断することを含む。
【図面の簡単な説明】
【０００６】
【図１】本発明の一実施例による無線周波数通信システムを示す模式図である。
【図２】本発明の一実施例による無線周波数通信システムの詳細な回路を示す模式図である。
【図３Ａ】本発明の一実施例による図１のノードＰ１におけるコモンモード信号ＣＳ及び差動モード信号ＤＳの信号波形を示す模式図である。
【図３Ｂ】本発明の一実施例による図１のノードＰ２における増幅したコモンモード信号ＡＣＳ及び増幅した差動モード信号ＡＤＳの信号波形を示す模式図である。
【図３Ｃ】本発明の一実施例による図１のノードＰ３における増幅したコモンモード信号ＡＣＳ及び増幅した差動モード信号ＡＤＳの信号波形を示す模式図である。
【図４】本発明の一実施例によるノイズアイソレーション方法を示すフローチャートである。
【発明を実施するための形態】
【０００７】
以下、実施例を例示して図面に合わせて詳しく説明するが、提供された実施例は本発明に含まれる範囲を限定するものではなく、構造の動作に関する記述はその実行の順序を限定するものではなく、素子を改めて組み合わせて得られるあらゆる構造により均等効果を有する装置は、いずれも本発明に含まれる範囲にある。なお、図面は説明を目的とするものだけであり、オリジナルの寸法で描いたものではない。
【０００８】
本文に用いられる「カップリング」または「接続」について、いずれも２つまたは複数の素子が相互に直接的に物理的または電気的に接触すること、或いは相互に間接的に物理的または電気的に接触することを指してもよく、２つまたは複数の素子が互いに交互操作または動作することを指してもよい。
【０００９】
図１は本発明の一実施例による無線周波数通信システムを示す模式図である。図１に示すように、無線周波数通信システム１００は、アンテナ１１０、増幅器１２０及びノイズアイソレーションユニット１３０を含む。
【００１０】
アンテナ１１０の一端は増幅器１２０に電気的に接続され、他端は接地端ＧＮＤに電気的に接続され、アンテナ１１０は、無線信号を受信して、コモンモード信号ＣＳと差動モード信号ＤＳを増幅器１２０に伝送するために用いられる。ここで、コモンモード信号ＣＳはノイズに関する伝送信号であってもよく、差動モード信号ＤＳは情報に関する伝送信号であってもよい。さらに、一実施例において、上記アンテナ１１０はシングルアンテナ（Ｓｉｎｇｌｅ Ａｎｔｅｎｎａ）である。
【００１１】
増幅器１２０は、アンテナ１１０に電気的に接続され、アンテナ１１０が伝送するコモンモード信号ＣＳと差動モード信号ＤＳを増幅し、増幅したコモンモード信号ＡＣＳと増幅した差動モード信号ＡＤＳを出力する。差動モード信号とコモンモード信号を明確に示すために、図１における実線は差動モード信号ＤＳまたは増幅した差動モード信号ＡＤＳを表し、破線はコモンモード信号ＣＳまたは増幅したコモンモード信号ＡＣＳを表す。
【００１２】
ノイズアイソレーションユニット１３０は、増幅器１２０に電気的に接続され、増幅した差動モード信号ＡＤＳの伝送及び増幅したコモンモード信号ＡＣＳの遮断に用いられる。
【００１３】
図２は、本発明の一実施例による無線周波数通信システムの詳細な回路を示す模式図である。明確に示すために、図２における実線は差動モード信号ＤＳまたは増幅した差動モード信号ＡＤＳを表し、破線はコモンモード信号ＣＳまたは増幅したコモンモード信号ＡＣＳを表す。
【００１４】
一部の実施例において、増幅器２２０は、トランジスタＭ１を含む。トランジスタＭ１の制御端はアンテナ２１０に電気的に接続され、トランジスタＭ１の第１端はノイズアイソレーションユニット２３０に電気的に接続され、トランジスタＭ１の第２端は接地端ＧＮＤに接続される。
【００１５】
一部の実施例において、図２に示すように、トランジスタＭ１はバイポーラ接合トランジスタ（Ｂｉｐｏｌａｒ  Ｊｕｎｃｔｉｏｎ  Ｔｒａｎｓｉｓｔｏｒ；ＢＪＴ）であってもよく、この場合には、トランジスタＭ１のベースはアンテナ２１０に電気的に接続され、そのコレクタはノイズアイソレーションユニット２３０に電気的に接続され、そのエミッタは接地端ＧＮＤに接続される。図２はトランジスタＭ１を示すが、本発明はこれに限定されず、換言すれば、当業者が、実際の要求に従って異なるタイプの増幅回路または素子を選択して使用することができる。
【００１６】
図２に示すように、ノイズアイソレーションユニット２３０は第１の変圧器Ｔ１と第２の変圧器Ｔ２を含む。一実施例において、ノイズアイソレーションユニット２３０は、第１のコンデンサーＣ１と、第２のコンデンサーＣ２と、第３のコンデンサーＣ３と、第４のコンデンサーＣ４をさらに含む。
【００１７】
構造上、第１の変圧器Ｔ１は、第１の一次コイルＲ１と第１の二次コイルＳ１を有する。第１の一次コイルＲ１の一端はコンデンサーＣ１を介して増幅器２２０に電気的に接続され、第１の一次コイルＲ１の他端は接地端ＧＮＤに接続される。また、第１の二次コイルＳ１の一端はコンデンサーＣ２に電気的に接続され、第１の二次コイルＳ１の他端はコンデンサーＣ３に電気的に接続される。
【００１８】
第２の変圧器Ｔ２は、第２の一次コイルＲ２と第２の二次コイルＳ２を有する。第２の一次コイルＲ２の一端はコンデンサーＣ２を介して第１の二次コイルＳ１の一端に電気的に接続され、第２の一次コイルＲ２の他端はコンデンサーＣ３を介して第１の二次コイルＳ１の他端に電気的に接続されて、増幅したコモンモード信号ＡＣＳの伝送を遮断する。また、第２の二次コイルＳ２の一端はコンデンサーＣ４に電気的に接続され、第２の二次コイルＳ２の他端は接地端ＧＮＤに接続される。
【００１９】
また、上記実施例において、変圧器のインダクタンス値及びコンデンサーのキャパシタンス値は、実際の要求にしたがって下記の式を組み合わせてインピーダンスマッチングを行うことにより得られる。
2015062268.tif 000003
【００２０】
式（１）におけるＸＬは無線周波数通信システム１００のインピーダンスマッチング値（例えば５０オーム）であり、ωは操作システムの角周波数であり、Ｌは変圧器におけるインダクタンス値である。上記のように、式（１）における既知のインピーダンスマッチング値ＸＬ及び操作システムの角周波数ωによって、変圧器におけるインダクタンス値Ｌが得られることが分かる。次に、インダクタンス値Ｌを式（２）に代入して、既知の操作システムの角周波数ω及びインダクタンス値Ｌによって、ノイズアイソレーションユニット１３０のキャパシタンス値Ｃを得る。
【００２１】
一例を挙げると、ロングタームエボリューション（Ｌｏｎｇ Ｔｅｒｍ Ｅｖｏｌuｔｉｏｎ；ＬＴＥ）において、周波数が７００ＭＨｚである場合に、角周波数ωに２ｐｉ*７００ＭＨｚを代入し、さらに、無線周波数システムのインピーダンスマッチング値にＸＬの５０オームを代入すると、ノイズアイソレーションユニット１３０におけるインダクタンス値及びキャパシタンス値が得られる。
【００２２】
実際の操作上、シングルアンテナを採用するアンテナ２１０である場合には、シングルアンテナの一端が接地するため、イメージ理論（Ｉｍａｇｅ Ｔｈｅｏｒy）によって、アンテナ２１０におけるシングルアンテナ（Ｓｉｎｇｌｅ  Ａｎｔｅｎｎａ）を差動アンテナ（Ｄｉｆｆｅｒｅｎｔｉａｌ Ａｎｔｅｎｎａ）と見なすことができ、アンテナ２１０にコモンモード信号ＣＳと差動モード信号ＤＳを伝送させることができる。
【００２３】
図２に示すように、コモンモード信号ＣＳと差動モード信号ＤＳは、いずれも増幅器２２０に伝送され、増幅器２２０はコモンモード信号ＣＳと差動モード信号ＤＳを増幅して、増幅したコモンモード信号ＡＣＳと増幅した差動モード信号ＡＤＳを出力する。次に、増幅したコモンモード信号ＡＣＳと増幅した差動モード信号ＡＤＳは、ノイズアイソレーションユニット２３０に入力される。増幅したコモンモード信号ＡＣＳは同相信号であり、無線周波数通信システム２００の回路で伝送することができないため、一部の増幅したコモンモード信号ＡＣＳは、第１の変圧器Ｔ１において遮断され、第２の変圧器Ｔ２に伝送されない。一方、増幅した差動モード信号ＡＤＳは逆相信号であり、無線周波数通信システム２００の回路において伝送することができるため、全ての増幅した差動モード信号ＡＤＳが、第１の変圧器Ｔ１を通過し且つ第２変圧器Ｔ２に伝送される。
【００２４】
なお、第１の変圧器Ｔ１を通過した他の一部の増幅したコモンモード信号ＡＣＳは、第２の変圧器Ｔ２に入る。同様に、増幅したコモンモード信号ＡＣＳは同相信号であり、他の一部の増幅したコモンモード信号ＡＣＳも第２変圧器Ｔ２において遮断され、第２変圧器Ｔ２から出力されない。一方、増幅した差動モード信号ＡＤＳは逆相信号であるため、全ての増幅した差動モード信号ＡＤＳが第２変圧器Ｔ２を通過することができる。
【００２５】
上記のように、第１の変圧器Ｔ１は一部の増幅したコモンモード信号ＡＣＳを遮断し、第２の変圧器Ｔ２は他の一部の増幅したコモンモード信号ＡＣＳをさらに遮断する。これにより、ノイズアイソレーションユニット２３０における変圧器及びコンデンサーの数が多ければ多いほど、ノイズアイソレーションの効率がよくなり、ノイズ値を効果的に低下させ、且つ信号対雑音比（ＳｉｇｎａｌＴｏ ｎｏｉｓｅ Ｒａｔｉｏ；ＳＮＲ）を向上させることができる。
【００２６】
上記実施例を簡単に説明するために、２つの変圧器及び４つのコンデンサーのみによりノイズアイソレーションユニットを構成するが、本発明はこれに限定されない。当業者は実際の要求に従って変圧器及びコンデンサーの数を増加することができ、より一層優れたノイズアイソレーション効果を達成することができる。
【００２７】
図３Ａは本発明の一実施例による図１のノードＰ１におけるコモンモード信号ＣＳ及び差動モード信号ＤＳの信号波形を示す模式図である。図３Ｂは本発明の一実施例による図１のノードＰ２における増幅したコモンモード信号ＡＣＳ及び増幅した差動モード信号ＡＤＳの信号波形を示す模式図である。図３Ｃは本発明の一実施例による図１のノードＰ３における増幅したコモンモード信号ＡＣＳ及び増幅した差動モード信号ＡＤＳの信号波形を示す模式図である。明確に示すために、図３Ａ〜図３Ｃにおける実線は差動モード信号ＤＳまたは増幅した差動モード信号ＡＤＳを表し、破線はコモンモード信号ＣＳまたは増幅したコモンモード信号ＡＣＳを表す。
【００２８】
説明を簡潔にするために、以下では、図１と図３Ａ〜図３Ｃを組み合わせて説明する。図１に示すように、ノードＰ１はアンテナ１１０と増幅器１２０の間に位置し、ノードＰ２は増幅器１２０とノイズアイソレーションユニット１３０の間に位置し、ノードＰ３はノイズアイソレーションユニット１３０の後に位置する。
【００２９】
図１及び図３Ａ〜図３Ｃを参照して、アンテナ１１０が出力したコモンモード信号ＣＳは増幅器１２０で増幅され、増幅したコモンモード信号ＡＣＳになり、差動モード信号ＤＳは増幅器１２０で増幅され、増幅した差動モード信号ＡＤＳになる。次に、上記の増幅したコモンモード信号ＡＣＳと増幅した差動モード信号ＡＤＳはノイズアイソレーションユニット１３０を通過し、ノイズアイソレーションユニット１３０は増幅したコモンモード信号ＡＣＳを遮断して、その信号値を低下させる。また、増幅した差動モード信号ＡＤＳはノイズアイソレーションユニット１３０を通過した後、増幅器１２０に入力された時の波形に復元される。
【００３０】
図３Ａ〜３Ｃで明確に理解でき、ノイズアイソレーションユニット１３０の動作によって、ノイズ信号を弱め、情報信号を変えないようにすることで、高信号対雑音比という目的を実現することができる。
【００３１】
また、上記の増幅したコモンモード信号ＡＣＳを遮断するためのノイズアイソレーションユニット１３０は、実際の要求に応じて各種の方式によって実現可能である。例えば、ノイズアイソレーションユニット１３０は印刷回路基板（Ｐｒｉｎｔｅｄ Ｃｉｒｃuｉｔ Ｂｏａｒｄ；ＰＣＢ）の回路のレイアウト （ｌａｙｏｕｔ）によってノイズアイソレーションユニット１３０の等価回路を実現することができる。等価回路において、変圧器のインダクタンス値及びコンデンサーのキャパシタンス値はいずれも上記式によって得られる。しかしながら、本発明のノイズアイソレーション回路１３０は上記の実現方法に限られない。ノイズアイソレーションユニット１３０も低温同時焼成セラミック（Ｌｏｗ  ｔｅｍｐｅｒａｔｕｒｅ  ｃｏ−ｆｉｒｅｄ  ｃｅｒａｍｉｃ；ＬＴＣＣ）方式によってその等価回路を実現することが可能であり、増幅したコモンモード信号ＡＣＳを遮断する目的を達する。
【００３２】
図４は本発明の一実施例による無線周波数通信システムに応用されるノイズアイソレーション方法を示すフローチャートである。ノイズアイソレーション方法４００は、図２に示す無線周波数通信システムによって実現することができるが、これに限られない。明確に説明するために、以下の実施例は図２に示す実施例と図４に示す実施例を組み合わせて説明する。ノイズアイソレーション方法４００は以下の工程を含む。
【００３３】
まず、アンテナ２１０によってコモンモード信号ＣＳを伝送する（Ｓ４１０）。次に、増幅器２２０によってコモンモード信号ＣＳを増幅して、増幅したコモンモード信号ＡＣＳを出力する（Ｓ４２０）。次に、ノイズアイソレーションユニット２３０によって増幅したコモンモード信号ＡＣＳの伝送を遮断する（Ｓ４３０）。
【００３４】
一実施例において、上記アンテナ２１０はシングルアンテナ（Ｓｉｎｇｌｅ  Ａｎｔｅｎｎａ）を含む。他の実施例において、上記増幅器２２０はトランジスタＭ１を含む。トランジスタＭ１の制御端は、アンテナ２１０に電気的に接続され、トランジスタＭ１の第１の端はノイズアイソレーションユニット２３０に電気的に接続され、トランジスタＭ１の第２の端は接地端ＧＮＤに接続される。
【００３５】
別の一実施例において、ノイズアイソレーションユニット２３０は第１の変圧器Ｔ１と第２変圧器Ｔ２を含む。他の一実施例において、ノイズアイソレーションユニット２３０は第１のコンデンサーＣ１と、第２のコンデンサーＣ２と、第３のコンデンサーＣ３と、第４のコンデンサーＣ４をさらに含む。
【００３６】
構造上、第１の変圧器Ｔ１は、第１の一次コイルＲ１と第１の二次コイルＳ１を有する。第１の一次コイルＲ１の一端はコンデンサーＣ１を介して増幅器２２０に電気的に接続され、第１の一次コイルＲ１の他端は接地端ＧＮＤに接続される。また、第１の二次コイルＳ１の一端はコンデンサーＣ２に電気的に接続され、第１の二次コイルＳ１の他端はコンデンサーＣ３に電気的に接続される。
【００３７】
第２の変圧器Ｔ２は、第２の一次コイルＲ２と第２の二次コイルＳ２を有する。第２の一次コイルＲ２の一端はコンデンサーＣ２を介して第１の二次コイルＳ１の一端に電気的に接続され、第２の一次コイルＲ２の他端はコンデンサーＣ３を介して第１の二次コイルＳ１の他端に電気的に接続され、増幅したコモンモード信号ＡＣＳの伝送を遮断する。また、第２の二次コイルＳ２の一端はコンデンサーＣ４に電気的に接続され、第２の二次コイルＳ２の他端は接地端ＧＮＤに接続される。
【００３８】
上記ノイズアイソレーション方法４００において、増幅したコモンモード信号ＡＣＳは同相信号であり、無線周波数通信システム２００の回路で伝送することができないため、一部の増幅したコモンモード信号ＡＣＳが第１の変圧器Ｔ１で遮断されて第２変圧器Ｔ２に伝送されないことになる。一方、増幅した差動モード信号ＡＤＳは逆相信号であり、無線周波数通信システム２００の回路で伝送することができるため、全ての増幅した差動モード信号ＡＤＳが、第１の変圧器Ｔ１を通過し且つ第２の変圧器Ｔ２に伝送されることになる。
【００３９】
なお、第１の変圧器Ｔ１を通過した他の一部の増幅したコモンモード信号ＡＣＳは、第２の変圧器Ｔ２に入る。同様に、増幅したコモンモード信号ＡＣＳは同相信号であり、他の一部の増幅したコモンモード信号ＡＣＳも第２の変圧器Ｔ２で遮断され、第２変圧器Ｔ２から出力されない。一方、増幅した差動モード信号ＡＤＳは逆相信号であるため、全ての増幅した差動モード信号ＡＤＳが第２の変圧器Ｔ２を通過することができる。
【００４０】
上記実施例で言及した工程は、特にその順序を説明しない限り、いずれも実際のニーズに応じてその前後順序を調整することができ、ひいては同時に、または一部を同時に実行することができ、図４に示すフローチャートがただ１つの実施例ではなく、本発明を限定するものでもない。
【００４１】
以上のように、本発明における無線周波数通信システムはノイズアイソレーションユニットによってコモンモード信号を遮断し、差動モード信号を伝送する。また、ノイズアイソレーションユニットにおける変圧器及びコンデンサーの数を増加することによって、より優れたノイズアイソレーション効果を得ることができる。したがって、本発明における無線周波数通信システムは、原情報信号（オリジナルの情報信号）に影響を与えないように、効果的にノイズ値を低下させ、信号対雑音比を向上させる。
【００４２】
本発明は実施形態によって前述の通りに開示したが、これは本発明を限定するものではなく、当業者なら誰でも、本発明の精神と領域から逸脱しない限り、多様の変更や修正を加えることができ、従って、本発明の保護範囲は、後の特許請求の範囲で指定した内容を基準とする。
【符号の説明】
【００４３】
１００、２００：無線周波数通信システム
１１０、２１０：アンテナ
１２０、２２０：増幅器
１３０、２３０：ノイズアイソレーションユニット
４００：ノイズアイソレーション方法
４１０、４２０、４３０：工程
Ｐ１、Ｐ２、Ｐ３：ノード
Ｃ１、Ｃ２、Ｃ３、Ｃ４：コンデンサー
Ｔ１、Ｔ２：変圧器
Ｒ１、Ｒ２：一次コイル
Ｓ１、Ｓ２：二次コイル
Ｍ１：トランジスタ
ＤＳ：差動モード信号
ＣＳ：コモンモード信号
ＡＤＳ：増幅した差動モード信号
ＡＣＳ：増幅したコモンモード信号
ＧＮＤ：接地端
【図１】
2015062268.tif 000004
【図２】
2015062268.tif 000005
【図３Ａ】
2015062268.tif 000006
【図３Ｂ】
2015062268.tif 000007
【図３Ｃ】
2015062268.tif 000008
【図４】
2015062268.tif 000009